【手続補正書】
【提出日】平成20年7月29日(2008.7.29)
【手続補正１】
【補正対象書類名】特許請求の範囲
【補正対象項目名】全文
【補正方法】変更
【補正の内容】
【特許請求の範囲】
【請求項１】
テレコミュニケーションシステムの通信リソースを制御する方法において、
第１トランシーバと第２トランシーバとの間の通信チャンネルの性能を特徴付ける性能尺度を決定するステップ(402)であって、前記通信チャンネルが変調を含み、変調記号が少なくとも２つの放射パターンを使用して分布され、そして前記性能尺度が変調に敏感であるようなステップと、
前記性能尺度に基づいて前記通信リソースを制御するステップ(408)と、
を備えた方法。
【請求項２】
前記第１トランシーバと前記第２トランシーバとの間の複数の通信チャンネルに対して複数の性能尺度を決定するステップ(502,506)と、
前記性能尺度に基づいて前記通信リソースを制御するステップ(510)と、
を備えた請求項１に記載の方法。
【請求項３】
前記第１トランシーバと第３トランシーバとの間の第２通信チャンネルに対する第２性能尺度を決定するステップ(508)と、
前記決定された性能尺度に基づいて前記通信リソースを制御するステップ(510)と、
を備えた請求項１に記載の方法。
【請求項４】
前記第１トランシーバと前記第２トランシーバとの間の通信チャンネルを特徴付けるチャンネルモデルを使用することにより前記性能尺度を決定するステップ(502,506,508)を備えた、請求項１に記載の方法。
【請求項５】
変調マトリクスの構造を少なくとも部分的に含む拡張チャンネルモデルを使用することにより前記性能尺度を決定するステップ(502,504,506)を備えた、請求項１に記載の方法。
【請求項６】
前記変調マトリクスは、少なくとも２つの記号時間インターバル内で少なくとも２つのアンテナリソースを使用して送信される少なくとも１つの記号を含む、請求項５に記載の方法。
【請求項７】
前記変調マトリクスは、ベクトル変調を形成する１つの行と、マトリクス変調を形成する複数の行と、１より大きな記号レートと、チャンネルマトリクスより大きな次元を有する行と、チャンネルマトリクスより大きな次元を有する列と、拡散の作用と、搬送波の作用と、波形の作用と、チャンネル化コードの作用とを含むグループにおける少なくとも１つのエレメントを含む、請求項５に記載の方法。
【請求項８】
通信チャンネルに関連した無線チャンネルに関するチャンネル情報と、通信チャンネルに関連したアンテナ重みと、通信チャンネルに関する変調情報とを含むグループにおける少なくとも１つのエレメントを使用して前記性能尺度を決定するステップ(502,504,506)を備えた、請求項１に記載の方法。
【請求項９】
前記性能尺度は、フレームエラー率、ビットエラー率、信号対雑音比、信号対干渉比、漸近的効率、スループット、干渉電力、及びノイズ電力を含むグループから選択された少なくとも１つのエレメントを含む、請求項１に記載の方法。
【請求項１０】
前記性能尺度に基づいて送信方法を選択するステップ(406)を備えた、請求項１に記載の方法。
【請求項１１】
ターゲット値と前記性能尺度との間の比較に基づいて前記通信リソースを制御するステップ(404,510)を備えた、請求項１に記載の方法。
【請求項１２】
前記性能尺度に基づいて瞬時要求に前記通信リソースを適応させるステップ(408)を備えた、請求項１に記載の方法。
【請求項１３】
前記通信チャンネルは、更に、インターリーブ、拡散、搬送波波形、副搬送波波形、チャンネルエンコード、マトリクス変調、ベクトル変調、ＭＩＭＯ変調、空間−時間コード化、空間−周波数コード化、空間−コードコード化、ビーム形成、多ビーム形成、無線チャンネル、チャンネルデコード、検出、イコライジング、ＲＡＫＥ受信、及び受信信号のフィルタリングを含むグループにおける少なくとも１つのエレメントを含む、請求項１に記載の方法。
【請求項１４】
前記通信リソースは、時間的送信通信リソースと、スペクトル的送信通信リソースと、エンコードリソースと、空間的送信通信リソースと、送信電力とを含むグループから選択された送信通信リソースを含む、請求項１に記載の方法。
【請求項１５】
前記通信リソースは、受信通信リソースを含む、請求項１に記載の方法。
【請求項１６】
テレコミュニケーションシステムの通信リソースを制御する構成体において、
第１トランシーバ(200)と第２トランシーバ(272)との間の通信チャンネルの性能を特徴付ける性能尺度を決定する手段(208,292)であって、前記通信チャンネルが変調を含み、変調記号が少なくとも２つの放射パターン(264,266)を使用して分布され、そして前記性能尺度が変調に敏感であるような手段と、
前記性能尺度に基づいて前記通信リソースを制御する手段(210,290)と、
を備えた構成体。
【請求項１７】
前記構成体は、
前記第１トランシーバ(200)と前記第２トランシーバ(272)との間の複数の通信チャンネルに対して複数の性能尺度を決定する手段(208,292)と、
前記性能尺度に基づいて前記通信リソースを制御する手段(210,290)と、
を備えた請求項１６に記載の構成体。
【請求項１８】
前記構成体は、更に、
前記第１トランシーバ(200)と第３トランシーバ(272)との間の第２通信チャンネルに対する第２性能尺度を決定する手段(208,292)と、
前記決定された性能尺度に基づいて通信リソースを制御する手段(210,290)と、
を備えた請求項１６に記載の構成体。
【請求項１９】
前記構成体は、更に、前記第１トランシーバ(200)と前記第２トランシーバ(272)との間の通信チャンネルを特徴付けるチャンネルモデルを使用することにより前記性能尺度を決定するための手段(208,292)を備えた、請求項１６に記載の構成体。
【請求項２０】
前記構成体は、更に、変調マトリクスの構造を少なくとも部分的に含む拡張チャンネルモデルを使用することにより前記性能尺度を決定する手段(208,292)を備えた、請求項１６に記載の構成体。
【請求項２１】
前記変調マトリクスは、少なくとも２つの記号時間インターバル内で少なくとも２つのアンテナリソースを使用して送信される少なくとも１つの記号を含む、請求項２０に記載の構成体。
【請求項２２】
前記変調マトリクスは、ベクトル変調を形成する１つの行と、マトリクス変調を形成する複数の行と、１より大きな記号レートと、チャンネルマトリクスより大きな次元を有する行と、チャンネルマトリクスより大きな次元を有する列と、拡散の作用と、搬送波の作用と、波形の作用と、チャンネル化コードの作用とを含むグループにおける少なくとも１つのエレメントを含む、請求項２０に記載の構成体。
【請求項２３】
性能尺度を決定する前記手段(208,292)は、通信チャンネルに関連した無線チャンネルに関するチャンネル情報と、通信チャンネルに関連したアンテナ重みと、通信チャンネルに関する変調情報とを含むグループにおける少なくとも１つのエレメントを使用する、請求項１６に記載の構成体。
【請求項２４】
性能尺度を決定する前記手段(208,292)は、通信チャンネルのフレームエラー率、ビットエラー率、信号対雑音比、信号対干渉比、漸近的効率、スループット、干渉電力、及びノイズ電力を含むグループから選択された少なくとも１つのエレメントを特徴付ける、請求項１６に記載の構成体。
【請求項２５】
前記構成体は、更に、前記性能尺度に基づいて送信方法を選択する手段(210, 290)を備えた、請求項１６に記載の構成体。
【請求項２６】
通信リソースを制御する前記手段(210,290)は、ターゲット値と前記性能尺度との比較に基づく、請求項１６に記載の構成体。
【請求項２７】
前記構成体は、更に、前記性能尺度に基づいて瞬時要求に前記通信リソースを適応させる手段(210,290)を備えた、請求項１６に記載の構成体。
【請求項２８】
前記通信チャンネルは、更に、インターリーブ、拡散、搬送波波形、副搬送波波形、チャンネルエンコード、マトリクス変調、ベクトル変調、ＭＩＭＯ変調、空間−時間コード化、空間−周波数コード化、空間−コードコード化、ビーム形成、多ビーム形成、無線チャンネル、チャンネルデコード、検出、イコライジング、ＲＡＫＥ受信、及び受信信号のフィルタリングを含むグループにおける少なくとも１つのエレメントを含む、請求項１６に記載の構成体。
【請求項２９】
前記通信リソースは、時間的送信通信リソースと、スペクトル的送信通信リソースと、エンコードリソースと、空間的送信通信リソースと、送信電力とを含むグループから選択された送信通信リソースを含む、請求項１６に記載の構成体。
【請求項３０】
前記通信リソースは、受信通信リソースを含む、請求項１６に記載の構成体。
【請求項３１】
テレコミュニケーションシステムのコントローラにおいて、
第１トランシーバ(200)と第２トランシーバ(272)との間の通信チャンネルの性能を特徴付ける性能尺度を決定する性能尺度推定装置(208,292)であって、前記通信チャンネルが変調を含み、変調記号が少なくとも２つの放射パターン(264,266)を使用して分布され、そして前記性能尺度が変調に敏感であるような性能尺度推定装置と、
前記性能尺度推定装置に接続され、前記性能尺度に基づいて前記通信リソースを制御するための制御ユニット(210,290)と、
を備えたコントローラ。
【請求項３２】
前記性能尺度推定装置(208,292)は、前記第１トランシーバ(200)と前記第２トランシーバ(272)との間の複数の通信チャンネルに対して複数の性能尺度を決定するように構成され、そして
前記制御ユニット(210,290)は、前記性能尺度に基づいて前記通信リソースを制御するように構成された、
請求項３１に記載のコントローラ。
【請求項３３】
前記性能尺度推定装置(208,292)は、前記第１トランシーバ(200)と第３トランシーバ(300)との間の第２通信チャンネルに対する第２性能尺度を決定するように構成され、そして
前記制御ユニット(210,290)は、前記決定された性能尺度に基づいて通信リソースを制御するように構成された、
請求項３１に記載のコントローラ。
【請求項３４】
前記性能尺度推定装置(208,292)は、前記通信チャンネルを特徴付けるチャンネルモデルを使用することにより前記性能尺度を決定するように構成された、請求項３１に記載のコントローラ。
【請求項３５】
前記性能尺度推定装置は、変調マトリクスの構造を少なくとも部分的に含む拡張チャンネルモデルを使用することにより前記性能尺度を決定するように構成された、請求項３１に記載のコントローラ。
【請求項３６】
前記変調マトリクスは、少なくとも２つの記号時間インターバル内で少なくとも２つのアンテナリソースを使用して送信される少なくとも１つの記号を含む、請求項３５に記載のコントローラ。
【請求項３７】
前記変調マトリクスは、ベクトル変調を形成する１つの行と、マトリクス変調を形成する複数の行と、１より大きな記号レートと、チャンネルマトリクスより大きな次元を有する行と、チャンネルマトリクスより大きな次元を有する列と、拡散の作用と、搬送波の作用と、波形の作用と、チャンネル化コードの作用とを含むグループにおける少なくとも１つのエレメントを含む、請求項３５に記載のコントローラ。
【請求項３８】
前記性能尺度推定装置(208,292)は、通信チャンネルに関連した無線チャンネルに関するチャンネル情報と、通信チャンネルに関連したアンテナ重みと、通信チャンネルに関する変調情報とを含むグループにおける少なくとも１つのエレメントを使用して、前記性能尺度を決定するように構成された、請求項３１に記載のコントローラ。
【請求項３９】
前記性能尺度は、通信チャンネルのフレームエラー率、ビットエラー率、信号対雑音比、及び信号対干渉比を含むグループから選択された少なくとも１つのエレメントを特徴付ける、請求項３１に記載のコントローラ。
【請求項４０】
前記制御ユニット(210,290)は、前記性能尺度に基づいて送信方法を選択するように構成された、請求項３１に記載のコントローラ。
【請求項４１】
前記制御ユニット(210,290)は、ターゲット値と前記性能尺度との比較に基づいて通信リソースを制御するように構成された、請求項３１に記載のコントローラ。
【請求項４２】
前記制御ユニット(210,290)は、前記性能尺度に基づいて瞬時要求に前記通信リソースを適応させるように構成された、請求項３１に記載のコントローラ。
【請求項４３】
前記通信チャンネルは、更に、インターリーブ、拡散、搬送波波形、副搬送波波形、チャンネルエンコード、マトリクス変調、ベクトル変調、ＭＩＭＯ変調、空間−時間コード化、空間−周波数コード化、空間−コードコード化、ビーム形成、多ビーム形成、無線チャンネル、チャンネルデコード、検出、イコライジング、ＲＡＫＥ受信、及び受信信号のフィルタリングを含むグループにおける少なくとも１つのエレメントを含む、請求項３１に記載のコントローラ。
【請求項４４】
前記通信リソースは、時間的送信通信リソースと、スペクトル的送信通信リソースと、エンコードリソースと、空間的送信通信リソースと、送信電力とを含むグループから選択された送信通信リソースを含む、請求項３１に記載のコントローラ。
【請求項４５】
前記通信リソースは、受信通信リソースを含む、請求項３１に記載のコントローラ。
【請求項４６】
テレコミュニケーションシステムの通信リソースを制御するコンピュータソフトウェアであって、デジタルプロセッサでコンピュータプロセスを実行するためのコード化命令を備えたコンピュータソフトウェアにおいて、前記コンピュータプロセスが、
第１トランシーバと第２トランシーバとの間の通信チャンネルの性能を特徴付ける性能尺度を決定し(402)、前記通信チャンネルは変調を含み、変調記号が少なくとも２つの放射パターンを使用して分布され、そして前記性能尺度が変調に敏感であり、そして
前記性能尺度に基づいて前記通信リソースを制御する(408)、
ということを備えたコンピュータソフトウェア。
【請求項４７】
テレコミュニケーションシステムの装置（272）において、
ベースステーション(200)と前記移動ステーション(272)との間の通信チャンネルの性能を特徴付ける性能尺度を決定する性能尺度推定装置(292)であって、前記通信チャンネルが変調を含み、変調記号が少なくとも２つの放射パターン(264,266)を使用して分布され、そして前記性能尺度が変調に敏感であるような性能尺度推定装置と、
前記決定された性能尺度を前記移動ステーション(200)に送信し、通信リソースを制御するように構成された高周波部分(278)と、
を備えた装置。
【請求項４８】
テレコミュニケーションシステムの装置において、
第１トランシーバ(200)と第２トランシーバ(272)との間の通信チャンネルの性能を特徴付ける性能尺度を受信し且つ前記受信した性能尺度に基づいて通信リソースを制御するように構成されたコントローラであって、前記通信チャンネルが変調を含み、変調記号が少なくとも２つの放射パターン(264,266)を使用して分布され、そして前記性能尺度が変調に敏感であるようなコントローラ、
を備えた装置。